(57)【要約】      （修正有）【課題】テスト印字モードを設けなくても、あるいは操作者が意識してテスト印字モードを起動させなくても、テスト用媒体に対して印刷処理（テスト印字）を行うことができる有価媒体処理装置、有価媒体処理システムおよび有価媒体処理方法を提供する。【解決手段】有価媒体処理装置１は、識別部２０による識別結果に基づいて、有価媒体に所定の印刷処理を行うよう印刷部７５を制御する制御部（例えば、全体制御部）を備えている。このような有価媒体処理装置１において、テスト用媒体に記録される所定の情報を取得することができるようになっており、制御部は、取得された所定の情報に基づいて、テスト用媒体に印刷処理を行うよう印刷部７５を制御するようになっている。【選択図】図２
2016143323.tif 000002
【特許請求の範囲】
【請求項１】
機体内に有価媒体を投入するための投入部と、
前記投入部により機体内に投入された有価媒体を搬送する搬送部と、
前記搬送部により搬送される有価媒体の識別を行う識別部と、
前記識別部により識別が行われた有価媒体に印刷処理を行うための印刷部と、
前記識別部による識別結果に基づいて、有価媒体に所定の印刷処理を行うよう前記印刷部を制御する制御部と、
を備え、
テスト用媒体に記録される所定の情報を取得することができるようになっており、
前記制御部は、取得された前記所定の情報に基づいて、テスト用媒体に印刷処理を行うよう前記印刷部を制御するようになっている、有価媒体処理装置。
【請求項２】
前記識別部により、テスト用媒体に記録される前記所定の情報が取得されるようになっている、請求項１記載の有価媒体処理装置。
【請求項３】
前記識別部により識別が行われた有価媒体を収納するための収納部を更に備え、
前記制御部は、前記印刷部により印刷処理が行われた後のテスト用媒体を前記収納部以外の箇所に送るよう前記搬送部を制御する、請求項１または２記載の有価媒体処理装置。
【請求項４】
前記搬送部によりテスト用媒体が送られるべき前記収納部以外の箇所は、操作者が機体の外部からアクセス可能な箇所である、請求項３記載の有価媒体処理装置。
【請求項５】
前記印刷部によるテスト用媒体への印刷態様に係る情報が記憶された記憶部を更に備え、
前記制御部は、前記記憶部に記憶されている印刷態様に基づいてテスト用媒体に印刷処理を行うよう前記印刷部を制御する、請求項１乃至４のいずれか一項に記載の有価媒体処理装置。
【請求項６】
前記記憶部に記憶される、前記印刷部によるテスト用媒体への印刷態様に係る情報は、テスト用媒体であることを示す印刷内容を含み、
前記制御部は、前記記憶部に記憶されている印刷態様に基づいて、テスト用媒体に対して当該媒体がテスト用媒体であることを示す印刷内容を印刷するよう前記印刷部を制御する、請求項５記載の有価媒体処理装置。
【請求項７】
前記印刷部は、前記搬送部により搬送される有価媒体のおもて面および裏面にそれぞれ印刷処理を行うことができるよう少なくとも２つ設けられており、
前記制御部は、複数の前記印刷部によりテスト用媒体のおもて面および裏面にそれぞれ印刷処理を行うよう各前記印刷部を制御する、請求項１乃至６のいずれか一項に記載の有価媒体処理装置。
【請求項８】
表示部を更に備え、
前記制御部は、前記印刷部によりテスト用媒体に印刷処理を行う際に、テスト用媒体に印刷処理を行っている旨を示す情報を前記表示部に表示させるよう当該表示部を制御する、請求項１乃至７のいずれか一項に記載の有価媒体処理装置。
【請求項９】
前記制御部は、テスト用媒体に記録される前記所定の情報が前記識別部により取得されたときに、前記識別部によるテスト用媒体の計数結果を有価媒体の処理データに加えないようになっている、請求項２記載の有価媒体処理装置。
【請求項１０】
機体内に有価媒体を投入するための投入部と、前記投入部により機体内に投入された有価媒体を搬送する搬送部と、前記搬送部により搬送される有価媒体の識別を行う識別部と、前記識別部により識別が行われた有価媒体に印刷処理を行うための印刷部とを有する有価媒体処理装置と、
前記有価媒体処理装置と通信可能に接続され、当該有価媒体処理装置の管理を行う管理装置と、
を備えた有価媒体処理システムであって、
前記有価媒体処理装置の前記識別部による識別結果に基づいて、有価媒体に所定の印刷処理を行うよう前記有価媒体処理装置の前記印刷部を制御する制御部を備え、
前記有価媒体処理装置は、テスト用媒体に記録される所定の情報を取得することができるようになっており、
前記制御部は、前記有価媒体処理装置において取得された前記所定の情報に基づいて、テスト用媒体に印刷処理を行うよう前記有価媒体処理装置の前記印刷部を制御するようになっている、有価媒体処理システム。
【請求項１１】
有価媒体処理装置の機体内に投入された有価媒体を識別部により識別する工程と、
前記識別部による識別結果に基づいて、有価媒体に所定の印刷処理を選択的に行う工程と、
を備え、
テスト用媒体に記録される所定の情報を取得することができるようになっており、
取得された前記所定の情報に基づいて、テスト用媒体に印刷処理を行う、有価媒体処理方法。
【発明の詳細な説明】
【技術分野】
【０００１】
本発明は、紙幣、硬貨、商品券等の有価媒体の処理を行う有価媒体処理装置、このような有価媒体処理装置を備えた有価媒体処理システムおよびこのような有価媒体処理装置による有価媒体処理方法に関する。
【背景技術】
【０００２】
レジ釣銭機等から回収された商品券や小切手等の商品券類シートが入金される商品券類処理機において、商品券類処理機の機体内に投入されて識別部により識別された商品券類シートに対してインクローラにより使用済み印（消し込み印）が印字されるものが知られている（例えば、特許文献１参照）。このような商品券類処理機を用いた場合には、当該商品券類処理機により処理された商品券類シートにおいて視覚的にも使用済みであることを明示することで、その後は商品券類シートを商品券類処理機の管理側で廃棄可能としている。また、誤って、あるいは不正使用を目的として、使用済みの商品券類シートが持ち出されても、使用済みであることが明らかなので、取引に使用される可能性は低い。
【先行技術文献】
【特許文献】
【０００３】
【特許文献１】特許第５１２４３０９号公報
【発明の概要】
【発明が解決しようとする課題】
【０００４】
特許文献１等に開示されるような従来の商品券類処理機では、商品券類シートに対して消し込み印を印字するためのインクローラ等の印刷装置は、長期間使用されないと乾燥や目詰まりによって商品券類シートに消し込み印を正常に印字することができなくなるおそれがある。また、印刷装置におけるインク切れによるインクカートリッジの交換後にもテスト用のシートに対してテスト印字を行いたい場合がある。
【０００５】
従来では、テスト用のシートに対してテスト印字を行いたいという要望に対して、商品券類シートの通常の処理モードの他にテスト印字モードを設定する方法が考えられる。しかしながら、商品券類処理機において通常の処理モードの他にテスト印字モードを設定する場合にはＣＰＵ等で用いられるプログラムの開発に費用や工数がかかってしまい、製造コストやメンテナンスコスト等が高くなってしまうという問題がある。また、通常の処理モードの他にテスト印字モードを設定する場合には、操作者はモードの切換を行う必要があり手間がかかるという問題がある。さらに、テスト印字モードを行った後に通常の処理モードに戻し忘れると、本物の商品券や紙幣に対してテスト印字を行ってしまうおそれがある。
【０００６】
本発明は、このような点を考慮してなされたものであり、テスト印字モードを設けなくても、あるいは操作者が意識してテスト印字モードを起動させなくても、テスト用媒体に対して印刷処理（テスト印字）を行うことができる有価媒体処理装置、有価媒体処理システムおよび有価媒体処理方法を提供することを目的とする。
【課題を解決するための手段】
【０００７】
本発明の有価媒体処理装置は、機体内に有価媒体を投入するための投入部と、前記投入部により機体内に投入された有価媒体を搬送する搬送部と、前記搬送部により搬送される有価媒体の識別を行う識別部と、前記識別部により識別が行われた有価媒体に印刷処理を行うための印刷部と、前記識別部による識別結果に基づいて、有価媒体に所定の印刷処理を行うよう前記印刷部を制御する制御部と、を備え、テスト用媒体に記録される所定の情報を取得することができるようになっており、前記制御部は、取得された前記所定の情報に基づいて、テスト用媒体に印刷処理を行うよう前記印刷部を制御するようになっていることを特徴とする。
【０００８】
このような有価媒体処理装置によれば、テスト用媒体に記録される所定の情報を取得することができるようになっており、取得された所定の情報に基づいて、テスト用媒体に印刷処理を行うことにより、テスト印字モードを設けなくても、あるいは操作者が意識してテスト印字モードを起動させなくても、テスト用媒体に対して印刷処理（テスト印字）を行うことができる。
【０００９】
本発明の有価媒体処理装置においては、前記識別部により、テスト用媒体に記録される前記所定の情報が取得されるようになっていてもよい。
【００１０】
本発明の有価媒体処理装置は、前記識別部により識別が行われた有価媒体を収納するための収納部を更に備え、前記制御部は、前記印刷部により印刷処理が行われた後のテスト用媒体を前記収納部以外の箇所に送るよう前記搬送部を制御するようになっていてもよい。
【００１１】
この場合、前記搬送部によりテスト用媒体が送られるべき前記収納部以外の箇所は、操作者が機体の外部からアクセス可能な箇所であってもよい。
【００１２】
本発明の有価媒体処理装置は、前記印刷部によるテスト用媒体への印刷態様に係る情報が記憶された記憶部を更に備え、前記制御部は、前記記憶部に記憶されている印刷態様に基づいてテスト用媒体に印刷処理を行うよう前記印刷部を制御するようになっていてもよい。
【００１３】
この場合、前記記憶部に記憶される、前記印刷部によるテスト用媒体への印刷態様に係る情報は、テスト用媒体であることを示す印刷内容を含み、前記制御部は、前記記憶部に記憶されている印刷態様に基づいて、テスト用媒体に対して当該媒体がテスト用媒体であることを示す印刷内容を印刷するよう前記印刷部を制御するようになっていてもよい。
【００１４】
本発明の有価媒体処理装置においては、前記印刷部は、前記搬送部により搬送される有価媒体のおもて面および裏面にそれぞれ印刷処理を行うことができるよう少なくとも２つ設けられており、前記制御部は、複数の前記印刷部によりテスト用媒体のおもて面および裏面にそれぞれ印刷処理を行うよう各前記印刷部を制御するようになっていてもよい。
【００１５】
本発明の有価媒体処理装置は、表示部を更に備え、前記制御部は、前記印刷部によりテスト用媒体に印刷処理を行う際に、テスト用媒体に印刷処理を行っている旨を示す情報を前記表示部に表示させるよう当該表示部を制御するようになっていてもよい。
【００１６】
本発明の有価媒体処理装置においては、前記制御部は、テスト用媒体に記録される前記所定の情報が前記識別部により取得されたときに、前記識別部によるテスト用媒体の計数結果を有価媒体の処理データに加えないようになっていてもよい。
【００１７】
本発明の有価媒体処理システムは、機体内に有価媒体を投入するための投入部と、前記投入部により機体内に投入された有価媒体を搬送する搬送部と、前記搬送部により搬送される有価媒体の識別を行う識別部と、前記識別部により識別が行われた有価媒体に印刷処理を行うための印刷部とを有する有価媒体処理装置と、前記有価媒体処理装置と通信可能に接続され、当該有価媒体処理装置の管理を行う管理装置と、を備えた有価媒体処理システムであって、前記有価媒体処理装置の前記識別部による識別結果に基づいて、有価媒体に所定の印刷処理を行うよう前記有価媒体処理装置の前記印刷部を制御する制御部を備え、前記有価媒体処理装置は、テスト用媒体に記録される所定の情報を取得することができるようになっており、前記制御部は、前記有価媒体処理装置において取得された前記所定の情報に基づいて、テスト用媒体に印刷処理を行うよう前記有価媒体処理装置の前記印刷部を制御するようになっていることを特徴とする。
【００１８】
このような有価媒体処理システムによれば、有価媒体処理装置は、テスト用媒体に記録される所定の情報を取得することができるようになっており、有価媒体処理装置において取得された所定の情報に基づいて、テスト用媒体に印刷処理を行うことにより、テスト印字モードを設けなくても、あるいは操作者が意識してテスト印字モードを起動させなくても、テスト用媒体に対して印刷処理（テスト印字）を行うことができる。
【００１９】
本発明の有価媒体処理方法は、有価媒体処理装置の機体内に投入された有価媒体を識別部により識別する工程と、前記識別部による識別結果に基づいて、有価媒体に所定の印刷処理を選択的に行う工程と、を備え、テスト用媒体に記録される所定の情報を取得することができるようになっており、取得された前記所定の情報に基づいて、テスト用媒体に印刷処理を行うことを特徴とする。
【００２０】
このような有価媒体処理方法によれば、テスト用媒体に記録される所定の情報を取得することができるようになっており、取得された所定の情報に基づいて、テスト用媒体に印刷処理を行うことにより、テスト印字モードを設けなくても、あるいは操作者が意識してテスト印字モードを起動させなくても、テスト用媒体に対して印刷処理（テスト印字）を行うことができる。
【発明の効果】
【００２１】
本発明の有価媒体処理装置、有価媒体処理システムおよび有価媒体処理方法によれば、テスト印字モードを設けなくても、あるいは操作者が意識してテスト印字モードを起動させなくても、テスト用媒体に対して印刷処理（テスト印字）を行うことができる。
【図面の簡単な説明】
【００２２】
【図１】本発明の実施の形態における有価媒体処理装置の外観を示す斜視図である。
【図２】図１に示す有価媒体処理装置の内部構成を模式的に示す構成図である。
【図３】図１等に示す有価媒体処理装置の制御系の構成を示す機能ブロック図である。
【図４】図１等に示す有価媒体処理装置による紙葉類の入金処理方法を示すフローチャートである。
【図５】（ａ）は、テスト印字が行われる前のテスト用媒体の表（おもて）面および裏面を示す図であり、（ｂ）は、テスト印字が行われた後のテスト用媒体の表（おもて）面および裏面を示す図である。
【図６】図１等に示す有価媒体処理装置において、テスト用媒体に対してテスト印字が行われる最中に操作表示部に表示される画面を示す図である。
【図７】図１等に示す有価媒体処理装置において、テスト印字が行われたテスト用媒体がリジェクト部としての集積部に送られたときに操作表示部に表示される画面を示す図である。
【図８】本発明の原理が適用される貨幣釣銭機およびこの貨幣釣銭機に通信可能に接続されたＰＯＳレジスタの構成を示す斜視図である。
【図９】図８に示す貨幣釣銭機およびＰＯＳレジスタの内部構成の概略を示す概略構成図である。
【発明を実施するための形態】
【００２３】
以下、図面を参照して本発明の実施の形態について説明する。図１乃至図７は、本実施の形態による有価媒体処理装置を示す図である。このうち、図１は、本実施の形態における有価媒体処理装置の外観を示す斜視図であり、図２は、図１に示す有価媒体処理装置の内部構成を模式的に示す構成図である。また、図３は、図１等に示す有価媒体処理装置の制御系の構成を示す機能ブロック図であり、図４は、図１等に示す有価媒体処理装置による紙葉類の入金処理方法を示すフローチャートである。また、図５（ａ）は、テスト印字が行われる前のテスト用媒体の表（おもて）面および裏面を示す図であり、図５（ｂ）は、テスト印字が行われた後のテスト用媒体の表（おもて）面および裏面を示す図である。また、図６は、図１等に示す有価媒体処理装置において、テスト用媒体に対してテスト印字が行われる最中に操作表示部に表示される画面を示す図であり、図７は、図１等に示す有価媒体処理装置において、テスト印字が行われたテスト用媒体がリジェクト部としての集積部に送られたときに操作表示部に表示される画面を示す図である。
【００２４】
コンビニエンスストアやスーパーマーケット等の商業施設の店舗において、顧客が立ち入ることができるフロント領域には様々な商品が陳列された商品棚が設置されているとともに、このフロント領域の精算所にはレジ釣銭機が設置されている。顧客がこのような精算所で精算処理を行う際に、店員は、顧客から受け取った商品の代金としての貨幣や商品券をレジ釣銭機に入金したり、釣銭としての貨幣をレジ釣銭機から出金して顧客に返却したりするようになっている。また、このような店舗における顧客の立ち入りが禁止されたバックヤード領域（具体的には、例えば出納室）には、レジ釣銭機から回収された売上金としての貨幣を入金する売上入金機が設置されている。また、このような売上入金機がショッピングセンターに設置される場合には、フロント領域の精算所に設置されたレジ釣銭機から回収された売上金としての貨幣に加えて、ショッピングセンター内の各テナントから持ち込まれた売上金としての貨幣が当該売上入金機に入金されるようになる。売上入金機に入金された売上金としての貨幣は、警送会社の収集担当者により回収されて当該警送会社の管理センターに運搬されるようになっている。本実施の形態では、このような売上入金機として、紙幣および硬貨に加えて商品券等を含む有価媒体の処理を一つの装置で行うような有価媒体処理装置１が用いられるようになっている。このような有価媒体処理装置１の構成の概略について図１乃至図３を用いて説明する。
【００２５】
図１および図２に示すように、本実施の形態による有価媒体処理装置１は略直方体形状の筐体２を有しており、この筐体２内には、紙幣や商品券等の紙葉類の処理を行う紙葉類処理ユニットおよび硬貨の処理を行う硬貨処理ユニットがそれぞれ設けられている。また、有価媒体処理装置１の前面下部には下部扉４が設けられており、この下部扉４を開くことにより、筐体２内に収容された紙葉類収納部５３、５４（後述）や硬貨収納部９３、９４（後述）を筐体２の外部に引き出すことができるようになっている。
【００２６】
図１および図２に示すように、本実施の形態による有価媒体処理装置１は、紙葉類処理ユニットとして、紙幣や商品券を含む紙葉類が投入される投入部１０と、投入された紙葉類の各々の真偽および金種や券種を識別する識別部２０と、識別された紙葉類を搬送しながら４種別に分類する搬送分類機構３０と、分類された紙葉類が一時的に集積される４つの集積部４１〜４４と、４つの集積部４１〜４４の一部である２つの集積部４３、４４にそれぞれ対応して設けられた２つの紙葉類収納部５３、５４とを備えている。
【００２７】
投入部１０は、紙葉類ホッパとして構成されており、投入された紙葉類（紙幣／商品券）を受け入れて１枚ずつ繰出するようになっている。また、投入部１０には、当該投入部１０に残留する紙葉類を検知するための残留検知センサ（図示せず）が設けられている。
【００２８】
識別部２０は、イメージセンサや磁気センサを有しており、紙幣／商品券の区別の他、各紙幣の真偽および金種や、各商品券の種別等を識別するようになっている。商品券の種別の識別とは、当該店舗（およびそのチェーン店舗）で発行された商品券／他社で発行された商品券の区別や、当該店舗において処分可能な商品券／他の管理センターへの回収が必要な商品券の区別や、使用期限内の有効な商品券／使用期限切れの無効な商品券の区別等である。そして、有効な商品券については金額を特定することができる。
【００２９】
搬送分類機構３０は、紙葉類を搬送する搬送ベルト機構３５と、搬送路を切り換えるための３つの切換機構３１〜３３と、これらの搬送ベルト機構３５や３つの切換機構３１〜３３を制御する紙葉類制御部３６とを有している。そして、紙葉類制御部３６が識別部２０による識別結果に基づいて３つの切換機構３１〜３３を制御することによって、識別された紙葉類をそれぞれ対応する４つの集積部４１〜４４に分類して搬送するようになっている。
【００３０】
第１の集積部４１は、リジェクト部として構成されており、リジェクト対象の紙葉類が集積されるようになっている。第１の集積部４１（リジェクト部）は、常時外部に開放されており、常時外部からリジェクト対象の紙葉類を取り出し可能となっている。
【００３１】
第２の集積部４２は、スタッカ部として構成されており、１００枚程度までの紙葉類が集積されるようになっている。第２の集積部４２（スタッカ部）には、開閉可能なシャッタ４２ｓが設けられており、シャッタ４２ｓの開放時に外部から紙葉類を取り出し可能となっている。より詳細には、シャッタ４２ｓは電磁ロック部（図示せず）によりロックされており、当該電磁ロック部によるロックが解除されたときに操作者はシャッタ４２ｓを開くことができるようになっている。もっとも、シャッタ４２ｓの設置を省略することも可能である。その場合は、第１の集積部４１（リジェクト部）と同様に、常時外部からアクセス可能（紙葉類を取り出し可能）となる。
【００３２】
第３の集積部４３および第４の集積部４４は、それぞれ入金一時保留部として構成されており、１００枚程度の紙葉類が集積されるようになっている。そして、有価媒体処理装置１の操作者による承認の後には、入金一時保留部としての各集積部４３、４４の底面が開放されるようになっており、これらの集積部４３、４４に一時保留されていた紙葉類が対応する紙葉類収納部５３、５４に送り込まれるようになっている。また、有価媒体処理装置１の操作者によって非承認とされた後には、各集積部４３、４４に一時保留されていた紙葉類を有価媒体処理装置１の前方から取り出し可能となっている。より詳細には、図１に示すように、第３の集積部４３の前面には返却扉６が設けられており、当該返却扉６を開くことにより第３の集積部４３から紙葉類を筐体２の外部に取り出すことができるようになる。ここで、返却扉６は電磁ロック部（図示せず）によりロックされており、当該電磁ロック部によるロックが解除されたときに操作者は返却扉６を開いて第３の集積部４３から紙葉類を筐体２の外部に取り出すことができるようになる。また、図１および図２に示すように、第１の集積部４１、第２の集積部４２および第３の集積部４３は筐体２から横方向に回動可能な回動部８に設けられており、当該回動部８を筐体２から横方向に回動させてこの回動部８を第４の集積部４４の前方から退避させることによりこの第４の集積部４４から紙葉類を筐体２の外部に取り出すことができるようになる。ここで、回動部８は電磁ロック部（図示せず）によりロックされており、当該電磁ロック部によるロックが解除されたときに操作者は回動部８を筐体２から横方向に回動させて第４の集積部４４から紙葉類を筐体２の外部に取り出すことができるようになる。
【００３３】
また、各集積部４１〜４４には、それぞれ、これらの集積部４１〜４４に紙葉類が集積されているときに当該紙葉類を検知するための残留検知センサ（図示せず）が設けられている。
【００３４】
２つの紙葉類収納部５３、５４は、２つの集積部４３、４４に対応して設けられており、紙葉類を収納可能なカセットから構成されている。各カセットは、収納された紙葉類の回収条件（例えば、回収作業者の権限等）を個別に設定可能となっており、設定された回収条件が満たされた場合にのみ有価媒体処理装置１の筐体２の外部からアクセス可能（すなわち、紙葉類を取り出し可能）となっている。
【００３５】
例えば、２つの紙葉類収納部５３、５４の少なくとも一つに対して設定される回収条件は、有価媒体処理装置１が設置される店舗（の操作者）が紙葉類の回収を許可されているという条件とされ、２つの紙葉類収納部５３、５４の少なくとも他の一つに対して設定される回収条件は、紙葉類の回収業務を委託される警送業者が紙葉類の回収を許可されているという条件とされ得る。このように回収条件が設定されることにより、店舗自身による回収作業と、警送業者による回収作業とを、それぞれ個別に設定して管理することが可能である。
【００３６】
本実施の形態による有価媒体処理装置１では、各紙葉類収納部５３、５４への有価媒体処理装置１の筐体２の外側からのアクセスを制限する構成として、図２および図３に示すように、公知のロック機構６３、６４、９７と、これらのロック機構６３、６４、９７を制御するロック制御部６５とが用いられるようになっている。ロック制御部６５には、ターミナル７０に内蔵された全体制御部７３を介してＩＣカードリーダ７１が接続されており、店舗所属の操作者が保有するＩＣカードをＩＣカードリーダ７１が読み取ったときに、店舗が紙葉類の回収を許可されていると判断し、そのような回収条件が設定されている紙葉類収納部５３、５４に対するアクセスが解放される。具体的には、ロック機構９７によるロックが解除されることにより下部ユニットが引き出し可能となり、さらにロック機構６３、６４によるロックが解除されることにより、紙葉類収納部５３、５４が筐体２の外部へ取出し可能となる。一方、警送業者所属の操作者が保有するＩＣカードをＩＣカードリーダ７１が読み取ったときに、当該警送業者が紙葉類の回収を許可されていると判断し、そのような回収条件が設定されている紙葉類収納部５３、５４に対するアクセスが解放される。具体的には、ロック機構９７によるロックが解除されることにより下部ユニットが引き出し可能となり、さらにロック機構６３、６４によるロックが解除されることにより、紙葉類収納部５３、５４が筐体２の外部へ取出し可能となる。そして、ロック機構６３、６４によるロックが解除された状態で下部扉４を開くことにより、店舗所属の操作者あるいは警送業者所属の操作者は、回収権限が設定された紙葉類収納部５３、５４を筐体２の外部に取り出すことができるようになる。
【００３７】
ターミナル７０には、全体制御部７３およびＩＣカードリーダ７１に加えて、タッチパネル等で構成された操作表示部７２が設けられている。操作表示部７２は、操作ガイダンスや入金処理時の取引データ等を表示するとともに、操作者の指示入力を受け付けるようになっている。
【００３８】
また、本実施の形態による有価媒体処理装置１の搬送分類機構３０において、紙葉類の搬送方向における識別部２０の下流側には、商品券を無効化するための消し込みの印刷処理を行う印刷部７５が設けられている。印刷部７５は例えばインクジェットプリンタから構成されており、様々な印刷パターンにより商品券に対して消し込みの印刷処理を行うことができるようになっている。印刷部７５は、有価媒体処理装置１の操作面に近接する位置に配置されており、筐体２のカバー（図示せず）を開放することにより、インクカートリッジの交換を容易に行うことができる。
【００３９】
また、本実施の形態の有価媒体処理装置１では、図５（ａ）に示すようなテスト用媒体を用いて印刷部７５によるテスト印字を行うことができるようになっている。具体的に説明すると、インクジェットプリンタ等から構成される印刷部７５は、長期間使用されないと乾燥や目詰まりによって商品券に対して消し込みの印刷処理を正常に行うことができなくなるおそれがある。また、印刷部７５におけるインク切れによるインクカートリッジの交換後にもテスト用媒体に対してテスト印字を行いたい場合がある。このため、本実施の形態では、識別部２０は、テスト用媒体の所定の情報を取得することができるようになっており、また、後述する記憶部７４には、テスト用媒体の所定の情報が記憶されるようになっている。そして、識別部２０によりテスト用媒体の識別が行われたときに、当該識別部２０により取得されたテスト用媒体の所定の情報が記憶部７４に記憶されているテスト用媒体の所定の情報と一致するときには、印刷部７５によってこのテスト用媒体に印刷処理（テスト印字）が行われるようになっている。このようなテスト用媒体に対するテスト印字の詳細については後述する。
【００４０】
また、本実施の形態による有価媒体処理装置１は、硬貨処理ユニットとして、硬貨が投入される硬貨投入部８０と、投入された硬貨の各々を識別する硬貨識別部８２と、識別された硬貨を搬送しながら３種別に分類する硬貨搬送分類機構８４と、分類された硬貨が一時的に集積される３つの硬貨集積部８６、８８、９０と、３つの硬貨集積部８６、８８、９０の一部である２つの硬貨集積部８８、９０にそれぞれ対応して設けられた２つの硬貨収納部９３、９４とを備えている。
【００４１】
硬貨投入部８０は硬貨ホッパとして構成されており、投入された硬貨を受け入れて１枚ずつ繰り出すようになっている。
【００４２】
硬貨識別部８２は磁気センサ等を有しており、硬貨の真偽の区別の他、各硬貨の金種を識別するようになっている。
【００４３】
硬貨搬送分類機構８４は、硬貨制御部９８によって制御されるソレノイド付き選別部材を有する強制選別機構によって構成されており、選別された硬貨を３つの硬貨集積部８６、８８、９０に分類して搬送するようになっている。ここで、硬貨搬送分類機構８４は、振り分ける硬貨の種別を任意に設定できるようになっている。
【００４４】
第１の硬貨集積部８６は、リジェクト部として構成されており、リジェクト対象の硬貨が集積されるようになっている。第１の硬貨集積部８６（リジェクト部）に集積された硬貨は、常時外部から取り出し可能となっている。
【００４５】
第２の硬貨集積部８８および第３の硬貨集積部９０は、それぞれ入金一時保留部として構成されており、それぞれに１００枚程度までの硬貨が集積されるようになっている。そして、有価媒体処理装置１の操作者による承認の後には、入金一時保留部の枠体が移動されるようになっており、一時保留されていた硬貨が対応する硬貨収納部９３、９４に送り込まれるようになっている。また、有価媒体処理装置１の操作者によって非承認とされた後には、入金一時保留部の底板が退避し、一時保留されていた硬貨が当該入金一時保留部の下方の硬貨返却箱９１、９２に送り込まれ、当該硬貨返却箱９１、９２が筐体２外へ引き出されることにより硬貨が取り出し可能となっている。
【００４６】
２つの硬貨収納部９３、９４は、２つの硬貨集積部８８、９０に対応して設けられており、硬貨を収納可能なカセットから構成されている。各硬貨カセットは、収納された硬貨の回収条件（例えば、回収作業者の権限等）を個別に設定可能となっており、設定された回収条件が満たされた場合にのみ有価媒体処理装置１の筐体２の外側へ取り出し可能となっている。
【００４７】
例えば、２つの硬貨収納部９３、９４の少なくとも一つに対して設定される回収条件は、有価媒体処理装置１が設置される店舗（の操作者）が硬貨の回収を許可されているという条件とされ、２つの硬貨収納部９３、９４の少なくとも他の一つに対して設定される回収条件は、硬貨の回収業務を委託される警送業者が硬貨の回収を許可されているという条件とされ得る。このように回収条件が設定されることにより、店舗自身による回収作業と、警送業者による回収作業とを、それぞれ個別に設定して管理することが可能である。
【００４８】
各硬貨収納部９３、９４への有価媒体処理装置１の筐体２の外側からのアクセスを制限する構成として、図２および図３に示すように、公知のロック機構９５、９６、９７と、これらのロック機構９５、９６、９７を制御するロック制御部６５とが用いられるようになっている。前述のように、ロック制御部６５にはＩＣカードリーダ７１が接続されており、店舗所属の操作者が所有するＩＣカードをＩＣカードリーダ７１が読み取ったときに、店舗が硬貨の回収を許可されていると判断し、そのような回収条件が設定されている硬貨収納部９３、９４に対するアクセスが解放される。具体的には、ロック機構９７によるロックが解除されることにより下部ユニットが引き出し可能となり、さらにロック機構９５、９６によるロックが解除されることにより、硬貨収納部９３、９４を筐体２の外部へ取出し可能となる。一方、警送業者所属の操作者が所有するＩＣカードをＩＣカードリーダ７１が読み取ったときに、警送業者が硬貨の回収を許可されていると判断し、そのような回収条件が設定されている硬貨収納部９３、９４に対するアクセスが解放される。具体的には、ロック機構９７によるロックが解除されることにより下部ユニットが引き出し可能となり、さらにロック機構９５、９６によるロックが解除されることにより、硬貨収納部９３、９４を筐体２の外部へ取出し可能となる。そして、ロック機構９５、９６によるロックが解除された状態で下部扉４を開くことにより、店舗所属の操作者あるいは警送業者所属の操作者は、回収権限が設定された硬貨収納部９３、９４を筐体２の外部に取り出すことができるようになる。
【００４９】
以上のように、本実施の形態による有価媒体処理装置１では、ロック制御部６５は、５つのロック機構６３、６４、９５、９６、９７を制御するようになっている。
【００５０】
また、本実施の形態による有価媒体処理装置１には、識別された紙葉類ないし硬貨の各集積部４１〜４４ないし各硬貨集積部８６、８８、９０への分類条件（分類パターン）を記憶しておく記憶部７４がターミナル７０内に設けられている。記憶部７４に記憶された分類条件は、搬送分類機構３０による紙葉類の搬送ないし分類を制御するための紙葉類制御部３６、および硬貨搬送分類機構８４による硬貨の搬送ないし分類を制御するための硬貨制御部９８に適時に読み出されるようになっている。
【００５１】
また、記憶部７４は、各紙葉類収納部５３、５４および各硬貨収納部９３、９４に対して設定される回収条件（例えば、回収作業者の権限等）も記憶するようになっており、各紙葉類収納部５３、５４および各硬貨収納部９３、９４への有価媒体処理装置１の筐体２の外側からのアクセスの制限／許容を判別して制御するためにロック制御部６５に適時に読み出されるようになっている。
【００５２】
また、記憶部７４は、識別部２０による紙葉類の識別のための詳細情報（例えば、識別処理に用いる辞書データ等）を記憶しており、識別部２０に適時に読み出されるようになっている。
【００５３】
また、記憶部７４は、印刷部７５により印刷処理が行われるべき紙葉類の種類に係る情報を記憶するようになっている。具体的には、印刷部７５により印刷処理が行われるべき紙葉類は予め設定された所定の商品券であることが記憶部７４に記憶されるようになっている。さらに、記憶部７４には、テスト用媒体の所定の情報（具体的には、テスト用コード）が記憶されるようになっている。また、商品券またはテスト用媒体に印刷処理を行う場合の印刷態様（具体的には、印刷内容、印刷色、印刷位置等）が、商品券またはテスト用媒体の種類に紐付けて記憶部７４に記憶されるようになっている。
【００５４】
また、本実施の形態による有価媒体処理装置１には、入金処理時の取引データや、締め時／回収時等における集計データをプリントアウトするプリンタ装置７６が設けられている。
【００５５】
さらに、本実施の形態による有価媒体処理装置１には、外部機器（管理コンピュータ）等と通信可能であり、識別情報や分類条件（分類パターン）を取得したり、入金結果等を送信可能な通信インターフェース部７８が設けられている。
【００５６】
次に、このような構成からなる有価媒体処理装置１による紙幣や硬貨、商品券等の有価媒体の処理方法、具体的には有価媒体の入金方法について以下に説明する。なお、以下に示すような有価媒体処理装置１の動作は、全体制御部７３が紙葉類制御部３６や硬貨制御部９８を介して有価媒体処理装置１の各構成要素の制御を行うことにより行われるようになっている。
【００５７】
本実施の形態の有価媒体処理装置１による紙葉類の入金処理方法について図４に示すフローチャートを用いて説明する。
【００５８】
有価媒体処理装置１が待機状態となっているときに操作者が携帯するＩＣカードをＩＣカードリーダ７１により読み取らせると、操作者の特定または回収元であるレジ等の特定が行われる。操作者等の特定が行われた後、当該操作者が投入部１０に紙葉類を投入すると（ＳＴＥＰ１の「ＹＥＳ」）、投入部１０から紙葉類が１枚ずつ有価媒体処理装置１の機体内に繰り出され（ＳＴＥＰ２）、搬送分類機構３０により搬送される紙葉類は識別部２０により識別される（ＳＴＥＰ３）。搬送分類機構３０により搬送される紙葉類が斜行や重送等の搬送異常である場合や、搬送分類機構３０により識別部２０に送られた紙葉類が汚損券である場合、あるいは搬送分類機構３０により識別部２０に送られた紙葉類が紙幣や商品券等の予め設定された所定の有価媒体ではない場合等により、識別部２０により紙葉類を識別することができない場合には（ＳＴＥＰ４の「ＮＯ」）当該紙葉類は搬送分類機構３０によりリジェクト部としての集積部４１に送られる（ＳＴＥＰ１２）。この際に、全体制御部７３において、リジェクト部としての集積部４１に送られる紙葉類については計数データの加算は行われない。
【００５９】
また、識別部２０により紙葉類を識別することができた場合において（ＳＴＥＰ４の「ＹＥＳ」）、当該紙葉類が通常の紙葉類（具体的には、予め設定された所定の紙幣や商品券）である場合には（ＳＴＥＰ５の「ＹＥＳ」）、全体制御部７３において、この紙葉類の計数データが加算される（ＳＴＥＰ６）。また、識別部２０により識別された紙葉類が予め設定された所定の商品券である場合には（ＳＴＥＰ７の「ＹＥＳ」）、印刷部７５により当該商品券に対して消し込みの印刷処理が行われる（ＳＴＥＰ８）。なお、識別部２０により識別された紙葉類が商品券である場合でも、この商品券が有効期限切れ券、もぎり券、受け付け対象外券等であり印刷対象外条件に一致する場合には、商品券に対して消し込みの印刷処理は行われない。また、印刷部７５を通過した商品券は、記憶部７４に記憶された搬送収納先に係る情報に基づいて、対応する集積部４１〜４４へ振り分けられる（ＳＴＥＰ９）。一方、識別部２０により識別された紙葉類が紙幣である場合には（ＳＴＥＰ７の「ＮＯ」）、当該紙幣に対して印刷部７５により消し込みの印刷処理が行われることなく、記憶部７４に記憶された搬送収納先に係る情報に基づいて、対応する集積部４１〜４４へ振り分けられる（ＳＴＥＰ９）。
【００６０】
また、上述したように、本実施の形態の有価媒体処理装置１では、識別部２０は、テスト用媒体の所定の情報を取得することができるようになっており、また、記憶部７４には、テスト用媒体の所定の情報が記憶されるようになっている。そして、識別部２０により取得された紙葉類の識別情報が記憶部７４に記憶されているテスト用媒体の所定の情報と一致するときには、全体制御部７３は当該紙葉類をテスト用媒体であると判断するようになる。識別部２０により識別された紙葉類がテスト用媒体であると判断された場合には（ＳＴＥＰ１０の「ＹＥＳ」）、このテスト用媒体に対して印刷部７５により単なる黒ベタパターンまたはカラーパターンで印刷処理（テスト印字）が行われるようになる（ＳＴＥＰ１１）。ここで、テスト用媒体に対して印刷部７５により行われる印刷処理（テスト印字）の印刷内容は、通常の商品券に対して印刷部７５により行われる消し込みの印刷処理の印刷内容とは異なるようになっていてもよい。また、印刷部７５によりテスト印字が行われたテスト用媒体は搬送分類機構３０によりリジェクト部としての集積部４１に送られる（ＳＴＥＰ１２）。このような印刷部７５によるテスト用媒体へのテスト印字について図５乃至図７を用いて説明する。なお、図５（ａ）は、テスト印字が行われる前のテスト用媒体の表（おもて）面および裏面を示す図であり、図５（ｂ）は、テスト印字が行われた後のテスト用媒体の表（おもて）面および裏面を示す図である。また、図６は、テスト用媒体に対してテスト印字が行われる最中に操作表示部７２に表示される画面を示す図であり、図７は、テスト印字が行われたテスト用媒体がリジェクト部としての集積部４１に送られたときに操作表示部７２に表示される画面を示す図である。
【００６１】
図５（ａ）に示すように、テスト用媒体としての紙葉類の表（おもて）面には、当該紙葉類がテスト用媒体であることを示す旨のメッセージとともに識別情報（テスト用コード）としてバーコードが記載されている。また、テスト用媒体には、テスト用媒体の取り扱いの注意事項（例えば、テスト用媒体の投入方向や運用方法）等も目視可能に記載されている。なお、図５（ａ）に示すように、テスト用媒体としての紙葉類の裏面には何も記載されていない。このようなテスト用媒体が投入部１０により有価媒体処理装置１の機体内に投入され、識別部２０により識別されると、当該識別部２０によってテスト用媒体の表面に記載されたバーコードが読み取られることにより当該テスト用媒体の所定の情報（テスト用コード）が取得される。そして、識別部２０により取得された紙葉類の識別情報が記憶部７４に記憶されているテスト用媒体の所定の情報と一致するときには、この紙葉類がテスト用媒体であると判断され、印刷部７５により当該紙葉類の裏面にテスト印字が行われる（図５（ｂ）参照）。ここで、本実施の形態では、記憶部７４には、印刷部７５によるテスト用媒体への印刷態様に係る情報が記憶されており、全体制御部７３は、記憶部７４に記憶されている印刷態様に基づいてテスト用媒体に印刷処理を行うよう印刷部７５を制御するようになっている。具体的には、印刷部７５によるテスト用媒体への印刷態様として例えば３つの済マークを並べて印刷するような印刷態様が記憶部７４に記憶されており、識別部２０により取得された紙葉類の識別情報が記憶部７４に記憶されているテスト用媒体の所定の情報と一致するときには、図５（ｂ）に示すように、印刷部７５は記憶部７４に記憶されている当該印刷態様に基づいてテスト用媒体に３つの済マークを並べて印刷するようになる。なお、この際に、記憶部７４に記憶される、印刷部７５によるテスト用媒体への印刷態様に係る情報は、テスト用媒体であることを示す印刷内容を含んでいてもよい。この場合には、印刷部７５は、記憶部７４に記憶されている印刷態様に基づいて、テスト用媒体に対して当該媒体がテスト用媒体であることを示す印刷内容を印刷するようになる（具体的には、印刷部７５により例えば「テスト用媒体であることを示すメッセージ」がテスト用媒体の裏面に印刷されるようになる）。また、記憶部７４において、印刷部７５によるテスト用媒体への印刷態様が複数記憶されるようになっていてもよい。この場合には、識別部２０により取得された紙葉類の識別情報（テスト用コード）に応じて当該識別情報に対応する印刷態様が選択されて印刷部７５によるテスト用媒体へのテスト印字が行われるようになる。
【００６２】
また、テスト用媒体に対してテスト印字が行われる間は、図６に示すような画面が操作表示部７２に表示され、テスト印字中である旨のメッセージおよびリジェクト部としての集積部４１からテスト用媒体を取り出すことを操作者に指示する旨のメッセージが操作表示部７２の画面にポップアップ表示されるようになる。そして、印刷部７５によりテスト用媒体に対してテスト印字が行われると、当該テスト用媒体はリジェクト部としての集積部４１に送られるようになるが、この場合に、操作表示部７２には図７に示すようなリジェクト部としての集積部４１にテスト用媒体が存在する旨のメッセージが表示されるようになる。このことにより、操作者は集積部４１からテスト用媒体を取り出さなければならないことに気づくようになる。
【００６３】
また、識別部２０により識別された紙葉類がテスト用媒体である場合において（ＳＴＥＰ１０の「ＹＥＳ」）、このテスト用媒体に対して印刷部７５により印刷処理（テスト印字）が行われた後（ＳＴＥ１１）、当該テスト用媒体が搬送分類機構３０によりリジェクト部としての集積部４１に送られたときには（ＳＴＥＰ１２）、全体制御部７３において、識別部２０によるテスト用媒体の計数結果は有価媒体の計数データに加えられないようになっている。
【００６４】
投入部１０に紙葉類が残っている場合には（ＳＴＥＰ１３の「ＹＥＳ」）、図４のＳＴＥＰ２〜ＳＴＥＰ１２に示す動作が繰り返し行われるようになる。一方、投入部１０に投入された紙葉類が全て有価媒体処理装置１の機体内に繰り出された後（ＳＴＥＰ１３の「ＮＯ」）、操作者によって操作表示部７２により承認入力が行われると（ＳＴＥＰ１４の「ＹＥＳ」）、集積部４３、４４に一時保留されていた紙葉類が対応する紙葉類収納部５３、５４に送り込まれて収納される（ＳＴＥＰ１５）。一方、操作者によって操作表示部７２により承認入力が行われず代わりに返却入力が行われると（ＳＴＥＰ１３の「ＮＯ」）、各集積部４３、４４に一時保留されていた紙葉類を有価媒体処理装置１の前方から取り出し可能となる（ＳＴＥＰ１６）。このようにして、有価媒体処理装置１における一連の紙葉類の入金処理が完了する。
【００６５】
以上のような構成からなる本実施の形態の有価媒体処理装置１およびこのような有価媒体処理装置１による有価媒体処理方法によれば、テスト用媒体に記録される所定の情報を取得することができるようになっており、全体制御部７３は、取得された所定の情報に基づいて、テスト用媒体に印刷処理を行うよう印刷部７５を制御するようになっている。このように、本実施の形態の有価媒体処理装置１およびこのような有価媒体処理装置１による有価媒体処理方法では、取得されたテスト用媒体の所定の情報が記憶部７４に記憶されているテスト用媒体の所定の情報と一致するときに当該テスト用媒体に印刷処理を行うことにより、テスト印字モードを設けなくても、あるいは操作者が意識してテスト印字モードを起動させなくても、テスト用媒体に対して印刷処理（テスト印字）を行うことができる。このため、ＣＰＵ等で用いられるプログラムの追加開発を行う必要がなくなるためコストを低減することができる。
【００６６】
より詳細に説明すると、従来技術の有価媒体処理装置では、テスト用媒体に対してテスト印字を行いたいという要望に対して、商品券に対する通常の処理モードの他にテスト印字モードを設定する方法が考えられていた。しかしながら、有価媒体処理装置において通常の処理モードの他にテスト印字モードを設定する場合にはＣＰＵ等で用いられるプログラムの開発に費用や工数がかかってしまい、製造コストやメンテナンスコスト等が高くなってしまうという問題がある。また、通常の処理モードの他にテスト印字モードを設定する場合には、操作者はモードの切換を行う必要があり手間がかかるという問題がある。さらに、テスト印字モードを行った後に通常の処理モードに戻し忘れると、本物の商品券や紙幣に対してテスト印字を行ってしまうおそれがある。これに対して、本実施の形態の有価媒体処理装置１およびこのような有価媒体処理装置１による有価媒体処理方法では、テスト印字モードを設けなくても、あるいは操作者が意識してテスト印字モードを起動させなくても、テスト用媒体に対して印刷処理を行うことができるため、ＣＰＵ等で用いられるプログラムの変更を行う必要がなくなるためコストを低減することができるようになり、また、操作者にとっての手間を省いたり、本物の商品券や紙幣に対してテスト印字を行ってしまうという操作者の誤操作を防止したりすることができるようになる。
【００６７】
また、本実施の形態の有価媒体処理装置１においては、上述したように、識別部２０により、テスト用媒体に記録される所定の情報が取得されるようになっている。この場合には、テスト用媒体に記録される所定の情報を取得するための手段と、紙幣や商品券等の有価媒体を識別するための識別手段とを識別部２０で兼用させることができるようになる。
【００６８】
また、本実施の形態の有価媒体処理装置１においては、上述したように、識別部２０により識別が行われた紙幣や商品券等の有価媒体を収納するための紙葉類収納部５３、５４が設けられており、全体制御部７３は、取得されたテスト用媒体の所定の情報が記憶部７４に記憶されているテスト用媒体の所定の情報と一致するときに、印刷部７５により印刷処理（テスト印字）が行われた後のテスト用媒体を紙葉類収納部５３、５４以外の箇所に送るよう搬送分類機構３０を制御するようになっている。より詳細には、搬送分類機構３０によりテスト用媒体が送られるべき紙葉類収納部５３、５４以外の箇所は、操作者が筐体２の外部からアクセス可能な箇所（具体的には、リジェクト部としての集積部４１）である。この場合には、通常の紙幣や商品券等の有価媒体とテスト用媒体とが混合してしまうことを防止することができ、また、操作者は印刷部７５により印刷処理（テスト印字）が行われた後のテスト用媒体を簡単に筐体２の外部に取り出すことができるようになる。
【００６９】
また、本実施の形態の有価媒体処理装置１においては、上述したように、記憶部７４には、印刷部７５によるテスト用媒体への印刷態様に係る情報が記憶されており、全体制御部７３は、記憶部７４に記憶されている印刷態様に基づいてテスト用媒体に印刷処理を行うよう印刷部７５を制御するようになっている。また、この際に、記憶部７４に記憶される、印刷部７５によるテスト用媒体への印刷態様に係る情報は、テスト用媒体であることを示す印刷内容を含んでいてもよい。この場合には、印刷部７５は、記憶部７４に記憶されている印刷態様に基づいて、テスト用媒体に対して当該媒体がテスト用媒体であることを示す印刷内容を印刷するようになる。このことにより、操作者はリジェクト部としての集積部４１から取り出された媒体がテスト用媒体であることをより一層確実に認識することができるようになる。
【００７０】
また、本実施の形態の有価媒体処理装置１においては、上述したように、全体制御部７３は、印刷部７５によりテスト用媒体に印刷処理（テスト印字）を行う際に、テスト用媒体に印刷処理を行っている旨を示す情報を操作表示部７２に表示させるよう当該操作表示部７２を制御するようになっている（図６参照）。このことにより、操作者はテスト用媒体にテスト印字が行われていることをより一層確実に認識することができるようになる。
【００７１】
また、本実施の形態の有価媒体処理装置１においては、上述したように、テスト用媒体に記録される所定の情報が識別部２０により取得されたときに、識別部２０によるテスト用媒体の計数結果を有価媒体の処理データに加えないようになっている。このことにより、テスト用媒体が識別部２０により識別された場合でも当該テスト用媒体の計数結果が有価媒体の計数データに加えられることが防止されるため、有価媒体の計数データに違算が発生することを防止することができるようになる。
【００７２】
なお、本実施の形態による有価媒体処理装置１やこのような有価媒体処理装置１による有価媒体処理方法は、上述したような態様に限定されることはなく、様々な変更を加えることができる。
【００７３】
例えば、印刷部７５はインクジェットプリンタ以外のプリンタから構成されていてもよい。例えば、印刷部７５はレーザープリンタから構成されていてもよい。また、印刷部７５は、商品券やテスト用媒体に消し込みの印刷処理（テスト印字）を行うことができるものであれば、プリンタ以外の機器（例えば、スタンプ等）から構成されていてもよい。
【００７４】
また、印刷部７５は、搬送分類機構３０により搬送される紙葉類の表（おもて）面および裏面にそれぞれ印刷処理を行うことができるよう少なくとも２つ設けられていてもよい。この場合には、全体制御部７３は、複数の印刷部７５によりテスト用媒体の表（おもて）面および裏面にそれぞれ印刷処理（テスト印字）を行うよう各印刷部７５を制御するようになっていてもよい。また、搬送分類機構３０により搬送される紙葉類の表（おもて）面および裏面にそれぞれ印刷処理を行うことができるよう少なくとも２つの印刷部７５が設けられている場合において、テスト用媒体の種類（具体的には、テスト用コードの内容）に応じて、表（おもて）面のみあるいは裏面のみにテスト印字を行うことができるようになっていてもよい。
【００７５】
また、本発明では、印刷部７５により印刷処理が行われるべき有価媒体の種類に関する情報やテスト用媒体の所定の情報を記憶する記憶部、および識別部２０により取得されたテスト用媒体の所定の情報が記憶部に記憶されているテスト用媒体の所定の情報と一致するときに当該テスト用媒体に印刷処理を行うよう印刷部７５を制御する制御部がそれぞれ有価媒体処理装置１に設けられることに限定されることはない。本発明では、有価媒体処理装置１と、当該有価媒体処理装置１の通信インターフェース部７８を介して通信可能に接続された外部機器（例えば、管理コンピュータまたは親子接続された他の有価媒体処理装置（親機）等）とから有価媒体処理システムが構成されており、この有価媒体処理システムに上記の記憶部や制御部が設けられるようになっていてもよい。すなわち、印刷部７５により印刷処理が行われるべき有価媒体の種類に関する情報やテスト用媒体の所定の情報を記憶する記憶部や、識別部２０により取得されたテスト用媒体の所定の情報が記憶部に記憶されているテスト用媒体の所定の情報と一致するときに当該テスト用媒体に印刷処理を行うよう印刷部７５を制御する制御部が、有価媒体処理装置１ではなく上記の外部機器（例えば、管理コンピュータまたは親子接続された他の有価媒体処理装置（親機）等）に設けられていてもよい。
【００７６】
また、テスト用媒体における識別情報（テスト用コード）に係る印刷内容は図５（ａ）に示すようなバーコードに限定されることはない。識別部２０により読み取ることができるものであれば、二次元コード等の他の種類の印刷内容が識別情報（テスト用コード）として用いられてもよい。また、テスト用媒体には当該媒体がテスト用媒体であることを示す旨の文字が記載され、識別部２０はこの文字をＯＣＲで読み取ることによって当該識別部２０により識別された紙葉類がテスト用媒体であると判断されるようになっていてもよい。
【００７７】
また、識別部２０により取得されたテスト用媒体の所定の情報が記憶部７４に記憶されているテスト用媒体の所定の情報と一致するときに、印刷部７５によりこのテスト用媒体にテスト印字が行われた後、当該テスト用媒体がリジェクト部としての集積部４１に送られる代わりに搬送分類機構３０によって投入部１０に戻されるようになっていてもよい。このことにより、操作者は投入部１０からテスト用媒体を取り出すことができ、また、取り出されたテスト用媒体のテスト印字の内容を確認することによって印刷部７５により正常に印刷処理が行われているか否かを知ることができるようになる。また、印刷部７５によりテスト用媒体にテスト印字が行われた後、当該テスト用媒体がスタッカ部としての集積部４２や入金一時保留部としての集積部４３、４４に送られるようになっていてもよい。この場合でも、操作者は各集積部４２、４３、４４からテスト用媒体を筐体２の外部に取り出し、取り出されたテスト用媒体のテスト印字の内容を確認することによって印刷部７５により正常に印刷処理が行われているか否かを知ることができるようになる。
【００７８】
また、本発明の有価媒体処理装置１では、テスト用媒体の他に、初心者の操作者に対して有価媒体処理装置１の使い方を教える目的として教育用媒体が用いられるようになっていてもよい。この場合には、識別部２０は、教育用媒体の識別情報を取得することができるようになっており、記憶部７４には、教育用媒体の識別情報が記憶されるようになっている。そして、全体制御部７３は、識別部２０により取得された教育用媒体の識別情報が記憶部７４に記憶されている教育用媒体の識別情報と一致するときに、当該教育用媒体に印刷処理（テスト印字）を行うよう印刷部７５を制御するようになっている。なお、印刷部７５によりテスト印字が行われた教育用媒体はリジェクト部としての集積部４１に送られ、筐体２の外部に取り出し可能となる。このような有価媒体処理装置１によれば、初心者の操作者に対して教育を行うために教育用媒体を用いて疑似テストを行うことができるようになる。なお、全体制御部７３は、識別部２０により取得された教育用媒体の識別情報が記憶部７４に記憶されている教育用媒体の識別情報と一致するときに、識別部２０による教育用媒体の計数結果を有価媒体の処理データ（計数データ）に加えないようになっている。
【００７９】
また、上述した有価媒体処理装置１は、紙幣、硬貨、商品券の入金処理を行う入金機として用いられる態様として説明したが、本発明はこのような態様に限定されることはない。本発明による有価媒体処理装置は、入金処理のみならず出金処理も行うことができる入出金機として用いられるものであってもよい。この場合には、有価媒体処理装置における紙幣や商品券等の紙葉類の処理を行う紙葉類処理ユニットおよび硬貨の処理を行う硬貨処理ユニットには、それぞれ紙幣や硬貨を受け入れて収納するとともに払出すことが可能な紙幣リサイクル部や硬貨リサイクル部が設置されるようになり、これらの紙幣リサイクル部や硬貨リサイクル部により、釣銭準備金としての紙幣や硬貨が有価媒体処理装置の機体外に投出されるようになる。また、このような有価媒体処理装置では、貨幣の両替処理も行うことができるようになっていてもよい。
【００８０】
また、本実施の形態の有価媒体処理装置１は、紙幣や商品券等の紙葉類の処理を行う紙葉類処理ユニットおよび硬貨の処理を行う硬貨処理ユニットを有するものとして説明したが、硬貨処理ユニットの設置が省略され、本発明に係る有価媒体処理装置が紙幣や商品券等の紙葉類のみの処理を行うようになっていてもよい。また、本発明に係る有価媒体処理装置が、商品券のみの入金処理を行う商品券入金装置として用いられるようになっていてもよい。
【００８１】
また、本実施の形態の有価媒体処理装置１において、紙幣や商品券等の紙葉類を識別するための識別部２０とは別に、テスト用媒体に記録される所定の情報を取得するためのセンサが設けられていてもよい。
【００８２】
また、本実施の形態の有価媒体処理装置１において、複数種類のテスト用媒体が設定されており、テスト用媒体の種類毎にテスト印字の印刷態様（具体的には、印刷内容、印刷色、印刷位置等）が異なるようになっていてもよい。
【００８３】
また、本実施の形態の有価媒体処理装置１において、紙葉類を入金する際に例えば操作表示部７２によって紙幣入金モードおよび商品券入金モードのうちいずれかのモードを選択設定することができるようになっていてもよい。この場合、テスト用媒体へのテスト印字は、選択されたモードにかかわらず、テスト用媒体が筐体２内に投入されて識別部２０等によりその所定の情報が取得されたときに行われるようになる。
【００８４】
また、図１乃至図３等に示すような有価媒体処理装置１の代わりに、図８および図９に示す貨幣釣銭機（より詳細には、紙幣釣銭機）に本発明の原理を適用することができるようになっている。本発明の原理が適用される貨幣釣銭機の構成の概略について図８および図９を用いて以下に述べる。なお、図８は、本発明の原理が適用される貨幣釣銭機およびこの貨幣釣銭機に通信可能に接続されたＰＯＳレジスタの構成を示す斜視図であり、図９は、図８に示す貨幣釣銭機およびＰＯＳレジスタの内部構成の概略を示す概略構成図である。
【００８５】
図８に示すように、貨幣釣銭機において、硬貨釣銭機１００および棒金収納装置４００が上下に並べて配置されているとともに、これらの硬貨釣銭機１００や棒金収納装置４００の隣に並ぶよう紙幣釣銭機２００が配置されている。また、硬貨釣銭機１００や紙幣釣銭機２００の上方にはＰＯＳレジスタ３００が配置されている。硬貨釣銭機１００および紙幣釣銭機２００は、それぞれ硬貨や紙幣の入出金処理を行うようになっている。また、紙幣釣銭機２００では商品券の入金処理も行うことができるようになっている。また、棒金収納装置４００は、各金種の棒金硬貨（同一金種の硬貨を一定枚数だけ棒状にまとめてフィルムや包装紙等により包装したもの）を取り出し可能に収納するようになっている。また、ＰＯＳレジスタ３００は、硬貨釣銭機１００、紙幣釣銭機２００および棒金収納装置４００の管理を行う管理装置として用いられるようになっている。
【００８６】
図９において、硬貨釣銭機１００および棒金収納装置４００についてはこれらの硬貨釣銭機１００や棒金収納装置４００を上方から見たときの内部構成が模式的に示されており、紙幣釣銭機２００およびＰＯＳレジスタ３００についてはこれらの紙幣釣銭機２００やＰＯＳレジスタ３００を側方から見たときの内部構成が模式的に示されている。図９に示すように、硬貨釣銭機１００は、上位制御部１２０および硬貨釣銭機制御部１３０を有しており、これらの上位制御部１２０および硬貨釣銭機制御部１３０は通信可能に接続されている。また、紙幣釣銭機２００は紙幣釣銭機制御部２３０を有しており、この紙幣釣銭機制御部２３０は硬貨釣銭機１００の上位制御部１２０に通信可能に接続されている。また、棒金収納装置４００は棒金収納装置制御部４３０を有しており、この棒金収納装置制御部４３０は硬貨釣銭機１００の上位制御部１２０に通信可能に接続されている。また、ＰＯＳレジスタ３００はＰＯＳ制御部３３０を有しており、硬貨釣銭機１００の上位制御部１２０はＰＯＳレジスタ３００のＰＯＳ制御部３３０に通信可能に接続されている。また、図示していないが、ＰＯＳレジスタ３００のＰＯＳ制御部３３０は店舗サーバ等の上位端末と通信可能に接続されている。
【００８７】
まず、硬貨釣銭機１００の構成について具体的に説明する。図８に示すように、硬貨釣銭機１００は、前部上面にタッチパネル等の操作表示部１１２が設けられた筐体１１０を備えている。筐体１１０の前部には硬貨受入部１１４および硬貨払出部１１６が設けられている。
【００８８】
硬貨受入部１１４は、硬貨投入口を介して受け入れた硬貨を１層１列状態で１枚ずつ筐体１１０内に取り込むようになっている。より詳細には、硬貨受入部１１４には繰出ベルト（図示せず）が設けられており、硬貨投入口に投入された硬貨を検知するとこの繰出ベルトが駆動されることにより当該繰出ベルトが硬貨を硬貨釣銭機１００の筐体１１０内に１枚ずつ繰り出すようになっている。また、図８に示すように、硬貨受入部１１４の硬貨投入口には当該硬貨投入口の開閉を行うシャッタ１１８が設けられており、シャッタ１１８が開かれたときに硬貨受入部１１４に硬貨を投入することができるようになっている。また、図９に示すように、硬貨受入部１１４には、当該硬貨受入部１１４により筐体１１０内に取り込まれた硬貨を搬送する入金搬送部１０３が接続されている。
【００８９】
図９に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００９０】
一方、正常硬貨等の筐体１１０内に収納されるべき硬貨は入金搬送部１０３により硬貨収納部１０６へ搬送されるようになっている。硬貨収納部１０６は硬貨を金種別に収納するようになっている。具体的には、例えば日本国で流通している硬貨の６つの金種（５００円硬貨、１００円硬貨、５０円硬貨、１０円硬貨、５円硬貨および１円硬貨）に対応して６つの硬貨収納部１０６が設けられており、入金搬送部１０３の上流側（すなわち、図９における下側）から高額順に各硬貨収納部１０６に硬貨が金種毎に収納されるようになっている。また、硬貨収納部１０６には、当該硬貨収納部１０６に収納された硬貨を１枚ずつ出金搬送部１０８に繰り出す繰出機構（図示せず）が設けられている。
【００９１】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００９２】
また、図９に示すように、硬貨釣銭機１００において硬貨の精査処理が行われる際に、出金搬送部１０８の途中箇所から入金搬送部１０３に硬貨を搬送する精査処理用搬送部１５０が設けられている。また、出金搬送部１０８の途中箇所には、当該出金搬送部１０８により搬送される硬貨を選択的にこの出金搬送部１０８から分岐させて精査処理用搬送部１５０に送る分岐機構１５４が設けられている。
【００９３】
また、図９に示すように、入金搬送部１０３における精査処理用搬送部１５０により硬貨が送られる箇所よりも下流側の箇所に、少なくとも硬貨の金種の判別を行うための金種判別部１４０が設けられている。このような金種判別部１４０は、硬貨釣銭機１００において硬貨の精査処理が行われる際に、精査処理用搬送部１５０により入金搬送部１０３に送られて当該入金搬送部１０３により搬送される硬貨の少なくとも金種の判別を行うようになっている。
【００９４】
次に、紙幣釣銭機２００の構成について具体的に説明する。図８および図９に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外側から取り囲むように配置されている。
【００９５】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが設けられている。また、周回搬送部２０３ａには識別部２０１が設けられており、この識別部２０１は、当該識別部２０１を通過する紙幣の識別を行うようになっている。また、識別部２０１は、図５（ａ）に示すようなテスト用媒体の所定の情報を取得することができるようになっている。
【００９６】
また、周回搬送部２０３ａと各接続搬送部２０３ｂとの間で紙幣の搬送経路を切り換える経路切換部（図示せず）が、周回搬送部２０３ａに沿って配置されている。
【００９７】
図８および図９に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられている。
【００９８】
紙幣受入部２１４は、紙幣受入口２１４ａに投入された紙幣を検知すると駆動され、当該紙幣受入口２１４ａに投入された入金紙幣を一括で取り込んで、周回搬送部２０３ａ側へ１枚ずつ繰り出すようになっている。各紙幣収納部２０６は、識別部２０１の識別結果に基づいて紙幣を金種別に収納する。具体的には、３つの紙幣収納部２０６として、一万円札を収納する紙幣収納部２０６、五千円札および二千円札を混合状態で収納する紙幣収納部２０６、および千円札を収納する紙幣収納部２０６がそれぞれ設けられている。また、紙幣収納部２０６には、当該紙幣収納部２０６に収納された紙幣を１枚ずつ周回搬送部２０３ａに繰り出す繰出機構（図示せず）が設けられている。
【００９９】
また、紙幣払出部２１６は、各紙幣収納部２０６から周回搬送部２０３ａに繰り出された紙幣を紙幣取出口２１６ａより機外へ放出するようになっている。より詳細には、紙幣釣銭機２００において紙幣の出金処理を行う際に、紙幣釣銭機２００から払い出されるべき紙幣が全て各紙幣収納部２０６から紙幣払出部２１６に送られるまでは各紙幣収納部２０６から紙幣払出部２１６に送られた紙幣は当該紙幣払出部２１６で一時的に保留されるようになっている。そして、紙幣釣銭機２００から払い出されるべき紙幣が全て各紙幣収納部２０６から紙幣払出部２１６に送られた後、紙幣払出部２１６に一時的に保留された紙幣が一括して紙幣取出口２１６ａに送られ、操作者はこの紙幣取出口２１６ａから紙幣の束を抜き取ることができるようになる。また、紙幣取出口２１６ａには、紙幣払出部２１６から紙幣取出口２１６ａに送られた紙幣を検知する紙幣残留検知センサ（図示せず）が設けられている。このような紙幣残留検知センサにより、紙幣払出部２１６から紙幣取出口２１６ａに送られた紙幣が操作者によって全て抜き取られたときにこのことが検知されるようになる。
【０１００】
出金リジェクト部２０４は、紙幣釣銭機２００において出金処理が行われる際に紙幣収納部２０６から繰り出された紙幣のうち、斜行等の搬送異常により識別部２０１で識別することができない紙幣を出金リジェクト紙幣として収納する。また、紙幣受入部２１４から筐体２１０内に取り込まれた紙幣のうち、汚損等により識別部２０１で識別することができない紙幣は入金リジェクト紙幣として紙幣払出部２１６に返却されるようになっている。
【０１０１】
また、図９に示すように、周回搬送部２０３ａには、商品券を無効化するための消し込みの印刷処理を行う印刷部２４０が設けられている。印刷部２４０は例えばインクジェットプリンタから構成されており、様々な印刷パターンにより商品券に対して消し込みの印刷処理を行うことができるようになっている。
【０１０２】
また、硬貨釣銭機１００や紙幣釣銭機２００には、印刷部２４０により消し込みの印刷処理が行われるべき紙葉類の種類に係る情報を記憶する記憶部が設けられている。具体的には、具体的には、印刷部２４０により印刷処理が行われるべき紙葉類は予め設定された所定の商品券であることが記憶部に記憶されるようになっている。そして、識別部２０１により識別された紙葉類が記憶部に記憶されている予め設定された所定の商品券であるときに当該商品券に所定の消し込みの印刷処理を行うよう、上位制御部１２０は紙幣釣銭機制御部２３０を介して印刷部２４０を制御するようになっている。なお、正常に処理された商品券は紙幣回収カセット２０７に回収されるものとする。また、図８および図９に示す貨幣釣銭機では、紙幣釣銭機２００の識別部２０１は、テスト用媒体の所定の情報（テスト用コード）を取得することができるようになっており、記憶部には、テスト用媒体の所定の情報が記憶されるようになっている。そして、識別部２０１により取得されたテスト用媒体の所定の情報が記憶部に記憶されているテスト用媒体の所定の情報と一致するときに、テスト用媒体に印刷処理（テスト印字）を行うよう、上位制御部１２０は紙幣釣銭機制御部２３０を介して印刷部２４０を制御するようになっている。また、テスト印字が行われたテスト用媒体は周回搬送部２０３ａにより紙幣払出部２１６に送られるようになっている。このことにより操作者はテスト印字が行われたテスト用媒体を紙幣払出部２１６から取り出すことができるようになる。
【０１０３】
なお、印刷部２４０により消し込みの印刷処理が行われるべき紙葉類の種類に係る情報やテスト用媒体の所定の情報（テスト用コード）を記憶する記憶部は硬貨釣銭機１００や紙幣釣銭機２００に設けられることに限定されることはない。このような識別部が硬貨釣銭機１００や紙幣釣銭機２００ではなく後述するＰＯＳレジスタ３００に設けられるようになっていてもよい。また、硬貨釣銭機１００に設けられた上位制御部１２０ではなく後述するＰＯＳレジスタ３００のＰＯＳ制御部３３０が上記の商品券やテスト用媒体に対する消し込みの印刷処理（テスト印字）の制御を行うようになっていてもよい。
【０１０４】
次に、棒金収納装置４００の構成について簡単に説明する。図８および図９に示すように、棒金収納装置４００は、手前側の側面が開口している筐体４１０と、筐体４１０内に収容可能となっているとともに当該筐体４１０から手前側に引き出し可能な収納ドロア４１２とを備えており、収納ドロア４１２には各金種の棒金硬貨が例えば２列で収納されるようになっている。ここで、収納ドロア４１２には、棒金硬貨を１本ずつ収納する収納部（ポケット）が複数個形成されており、各収納部に収納される棒金硬貨の金種毎の収納本数および位置が予め設定されている。
【０１０５】
また、図９に示すように、棒金収納装置４００の筐体４１０の内部には、収納ドロア４１２が筐体４１０に完全に収容されたときに当該収納ドロア４１２を筐体４１０内にロックするためのロック部４１６が設けられている。ここで、ロック部４１６が収納ドロア４１２を筐体４１０内にロックしたときには、この収納ドロア４１２を筐体４１０から手前側に引き出すことができなくなり、よって収納ドロア４１２から棒金硬貨を取り出すことができなくなる。
【０１０６】
また、棒金収納装置４００の筐体４１０における前面開口の近傍には、収納ドロア４１２が筐体４１０から手前側に引き出されたり筐体４１０の内部に戻されたりする際に当該収納ドロア４１２に収納されている棒金硬貨の金種毎の本数を検知する棒金検知部４１４が設けられている。具体的には、図９に示すように、棒金検知部４１４は左右一対の光センサ４１４ａおよび筐体４１０からの収納ドロア４１２の引き出し量を検知するロータリエンコーダ４１４ｂを有している。ここで、各光センサ４１４ａは発光素子および受光素子を有しており、発光素子から発せられた光は、棒金収納装置４００の幅方向（図９における左右方向）に延びる光軸を通って受光素子に送られるようになっている。そして、収納ドロア４１２が筐体４１０内に完全に収容されていたり当該収納ドロア４１２が筐体４１０から完全に引き出されたりしているときには、各光センサ４１４ａにおいて発光素子から発せられた光は受光素子により受けられ、一方、収納ドロア４１２が筐体４１０から手前側に引き出されたり筐体４１０の内部に戻されたりする際に、発光素子から発せられた光が収納ドロア４１２内に収納された棒金硬貨により遮られることにより受光素子に届かなくなり、このことにより棒金硬貨の孔の有無や直径の大きさが検知されるようになる。前述したように、収納ドロア４１２において、収納される棒金硬貨の金種毎の収納本数および位置が予め設定されているため、光センサ４１４ａにより検知された棒金硬貨の孔の有無や直径の大きさ、ならびにロータリエンコーダ４１４ｂにより検知された筐体４１０からの収納ドロア４１２の引き出し量に基づいて、収納ドロア４１２に収納された棒金硬貨の金種毎の本数、および各棒金硬貨が収納ドロア４１２内の所定の位置に正しく収納されているか否か等が検知されるようになっている。
【０１０７】
なお、本実施の形態による棒金収納装置４００は上記の構成のものに限定されることはない。他の構成の棒金収納装置４００において、収納ドロア４１２に収納されている棒金硬貨の金種毎の本数を検知する棒金検知部４１４として、収納ドロア４１２の収納部に収納される棒金硬貨の有無および金種（材質）を検出するセンサを全ての収納部（ポケット）に配置するような方式のものが用いられてもよい。
【０１０８】
次に、ＰＯＳレジスタ３００の構成について具体的に説明する。ＰＯＳレジスタ３００のＰＯＳ制御部３３０は、図９に示すように、硬貨釣銭機１００の上位制御部１２０に通信可能に接続されているとともに、店舗サーバ等の上位端末（図示せず）にも通信可能に接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の上位制御部１２０を介して棒金収納装置４００の棒金収納装置制御部４３０に指令を送ることによりロック部４１６による筐体４１０内での収納ドロア４１２のロックや当該ロックの解除を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【０１０９】
操作部３０４は、操作者が操作することができるようになっており、ＰＯＳ制御部３３０に対して様々な指令を与えることができるようになっている。また、表示部３０２は、取引情報に加えて、硬貨釣銭機１００や紙幣釣銭機２００における硬貨や紙幣の処理状況や、硬貨釣銭機１００や紙幣釣銭機２００の内部に収納された硬貨や紙幣の在高等の情報を表示するようになっている。また、ＰＯＳレジスタ３００には顧客が視認可能な追加の表示部３０２ａが設けられており、様々な情報を表示部３０２に表示させる代わりに、あるいは表示部３０２における表示に加えて、追加の表示部３０２ａにおいて表示が行われるようになっていてもよい。
【０１１０】
図８および図９に示す貨幣釣銭機によれば、上述したように、紙幣釣銭機２００の識別部２０１は、テスト用媒体の所定の情報（テスト用コード）を取得することができるようになっており、硬貨釣銭機１００や紙幣釣銭機２００、あるいはＰＯＳレジスタ３００に設けられた記憶部には、テスト用媒体の所定の情報が記憶されるようになっている。そして、硬貨釣銭機１００の上位制御部１２０やＰＯＳレジスタ３００のＰＯＳ制御部３３０は、識別部２０１により取得されたテスト用媒体の所定の情報が記憶部に記憶されているテスト用媒体の所定の情報と一致するときに、当該テスト用媒体に印刷処理（テスト印字）を行うよう印刷部２４０を制御するようになっている。このように、識別部２０１により取得されたテスト用媒体の所定の情報が記憶部に記憶されているテスト用媒体の所定の情報と一致するときに当該テスト用媒体に印刷処理を行うことにより、図８および図９に示すような貨幣釣銭機においてテスト印字モードを設けなくてもテスト用媒体に対して印刷処理（テスト印字）を行うことができ、このためＣＰＵ等で用いられるプログラムの変更を行う必要がなくなるためコストを低減することができる。また、図１乃至図７に示すような有価媒体処理装置１における本発明の他の原理も図８および図９に示す貨幣釣銭機に適用することができるようになっている。
【符号の説明】
【０１１１】
１        有価媒体処理装置
２        筐体
４        下部扉
６        返却扉
８        回動部
１０      投入部
２０      識別部
３０      搬送分類機構
３１〜３３  切換機構
３５      搬送ベルト機構
３６      紙葉類制御部
４１      第１の集積部
４２      第２の集積部
４２ｓ    シャッタ
４３      第３の集積部
４４      第４の集積部
５３、５４  紙葉類収納部
６３、６４  ロック機構
６５      ロック制御部
７０      ターミナル
７１      ＩＣカードリーダ
７２      操作表示部
７３      全体制御部
７４      記憶部
７５      印刷部
７６      プリンタ装置
７８      通信インターフェース部
８０      硬貨投入部
８２      硬貨識別部
８４      硬貨搬送分類機構
８６      第１の硬貨集積部
８８      第２の硬貨集積部
９０      第３の硬貨集積部
９１、９２  硬貨返却箱
９３、９４  硬貨収納部
９５〜９７  ロック機構
９８      硬貨制御部
１００    硬貨釣銭機
１０１    硬貨識別部
１０３    入金搬送部
１０４    分岐部
１０６    硬貨収納部
１０８    出金搬送部
１１０    筐体
１１２    操作表示部
１１４    硬貨受入部
１１６    硬貨払出部
１１８    シャッタ
１２０    上位制御部
１３０    硬貨釣銭機制御部
１４０    金種判別部
１５０    精査処理用搬送部
１５４    分岐機構
２００    紙幣釣銭機
２０１    識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２４０    印刷部
３００    ＰＯＳレジスタ
３０２、３０２ａ  表示部
３０４    操作部
３３０    ＰＯＳ制御部
４００    棒金収納装置
４１０    筐体
４１２    収納ドロア
４１４    棒金検知部
４１４ａ  光センサ
４１４ｂ  ロータリエンコーダ
４１６    ロック部
４３０    棒金収納装置制御部
【図１】
2016143323.tif 000003
【図２】
2016143323.tif 000004
【図３】
2016143323.tif 000005
【図４】
2016143323.tif 000006
【図５】
2016143323.tif 000007
【図６】
2016143323.tif 000008
【図７】
2016143323.tif 000009
【図８】
2016143323.tif 000010
【図９】
2016143323.tif 000011